(57)【要約】【課題】  ドアを開閉するためにフックを外すとドアは、前記付勢力によって勢い良く開放されユーザー操作者に対して不愉快なものであった。  また、装置本体側面の開閉ドアに対して、装置本体正面からドア設置された転写ローラと接地する感光体ドラムを有するプロセスユニットの着脱等を考慮した際、故意にドアを閉めない限り、開閉ドアがしまらないといった工夫が必要であった。【解決手段】  リンク機構を用いて、ドアが所定の開放する所定角度で停止でき、その位置を維持させる開閉機構とし、装置自体の小型化、コストダウンの問題も解決した。【選択図】  図1
2008145821.tif 000002
【特許請求の範囲】
【請求項１】
本体側面に回転ヒンジにより開閉自在に軸支されたドアの開閉機構において
前記ドアを開く時に所定角度を維持するための保持手段を設け、前記保持手段は前記ドアの位置決めボスと本体側に略Ｃ字形状の位置決め部材とを嵌合させ、前記ドアの位置決めボスの位置を抑制するための前記位置決め部材の略Ｃ字形状部分に凸形状部を備えていることを特徴とするドアの開閉機構。
【請求項２】
前記凸形状部は、弾性的に変形する部材であることを特徴とする請求項１に記載のドアの開閉機構。
【請求項３】
前記凸形状部は、回転自在に支持されたコロを有していることを特徴とする請求項１に記載のドアの開閉機構。
【請求項４】
前記回転保持するヒンジ部は一方は１対のヒンジ部材により回転支持され、他方は本体に設けられた回転自在のフック形状部により係り止めされることで回転方向に位置決め保持する部材であることを特徴とする請求項１に記載のドアの開閉機構。
【請求項５】
給紙手段から定着装置までを垂直方向へと搬送する搬送経路を備え、定着装置を除いた用紙搬送経路の１側面を開放可能にしたドアを有した画像形成装置で、前記ドアは、画像形成装置本体に対して、少なくとも1対のヒンジ部材を具備するヒンジで回動開閉自在の開閉扉で、前記ドアの位置決めは、前記ドアの位置決めボス部と画像形成装置本体の略Ｃ字状位置決め形状部で嵌合される構成において、画像形成装置本体側の略Ｃ字状位置決め形状部は前記ドアの開閉角度が所定角度で前記ドアの位置決めボス部が乗り上げるように略Ｃ字状の位置決め形状部に凸部を有した画像形成装置。
【請求項６】
前記ドアを回転保持するヒンジ部は、画像形成装置本体側の略Ｃ字状の位置決め形状部に設けられた凸部の高さ以上に、ガタを持たせたことを特徴とするヒンジ構成を有したことを特徴とする請求項５に記載の画像形成装置。
【請求項７】
前記ドアの一端は少なくとも１対のヒンジ部材により回転支時され、他端は画像形成装置本体に設けられた回転自在のフック形状部により係り止めされることで回転方向に位置決め保持されていることを特徴とする請求項５、６，に記載の画像形成装置。
【請求項８】
画像形成装置本体側の略Ｃ字状の位置決め形状部に設けられた凸部は、前記ドアを開く方向に対しての位置と、閉じる方向に対しての位置との、それぞれの回転角度の位置を規定するための形状となっていることを特徴とする請求項５，６に記載の画像形成装置。
【請求項９】
画像形成装置本体側の略Ｃ字状の位置決め形状部の凸形状は、前記ドアを勘合位置決めするための位置決めボスよりも狭くなるように、画像形成装置本体側の略U字状の位置決め形状部の凸形状の上面側が弾性的に変形することが可能なように形成された画像形成装置本体側の略Ｃ字状の位置決め形状を持つことを特徴とする請求項５に記載の画像形成装置。
【請求項１０】
画像形成装置本体側の略Ｃ字状の位置決め形状部の凸形状の頂点部に、回転自在支持された従動コロを有したことを特徴とする請求項５に記載の画像形成装置。
【発明の詳細な説明】
【技術分野】
【０００１】
本発明は、電子写真方式を採用したプリンタ装置、複写機、ファクシミリ装置等の画像形成装置における、少なくとも1対のヒンジ部材を具備するヒンジで回動開閉自在の開閉ドアを有した構成における、位置決め方法ならびに開閉機構に関するものである。
【背景技術】
【０００２】
一つの端縁にヒンジを備えて回動自在に開閉出来るドアは、各種の機器において従来からひろく実用されている。このようなドアでは、開放する力は、本体内部の付勢力を利用して開放させるのが普通である。
【０００３】
機器本体にはヒンジによって回動開閉出来るように配置されたドアが設けてある。ドアには、画像形成を担う転写ローラやレジローラといった付勢力を要するものが設置されているため、ヒンジの対向側には、フックによって、前記付勢力を保持するように構成されている。
【発明の開示】
【発明が解決しようとする課題】
【０００４】
このような構成の場合、ドアを開閉するためにフックを外すとドアは、前記付勢力によって勢い良く開放されユーザー操作者に対して不愉快なものであった。
【０００５】
また、装置本体側面の開閉ドアに対して、装置本体正面からドア設置された転写ローラと接地する感光体ドラムを有するプロセスユニットの着脱等を考慮した際、故意にドアを閉めない限り、開閉ドアがしまらないといった工夫が必要であった。
【０００６】
この問題を補うためにリンク機構を用いて、ドアが所定の開放角度で停止し、以後その位置を維持させるようなものも提案されているが、このための付帯機構が必要となるので、装置自体の小型化、コストダウンの観点から問題があった。
【課題を解決するための手段】
【０００７】
請求項１の発明は、本体側面に回転ヒンジにより開閉自在に軸支されたドアの開閉機構において、前記ドアを開閉する時に所定角度を維持するための保持手段を設け、前記保持手段は前記ドアの位置決めボスと本体側に略Ｃ字形状の位置決め部材とを嵌合させ、前記ドアの位置決めボスの位置を抑制するための前記位置決め部材の略Ｃ字形状部分に凸形状部を備えていることを特徴とするドアの開閉機構。
【０００８】
請求項２の発明は、請求項１の開閉機構において、前記凸形状部は、弾性的に変形する部材であることを特徴とする。
【０００９】
請求項３の発明は、請求項１の開閉機構において、前記位置決め部の凸部は、回転自在支持されたコロを有していることを特徴とする。
【００１０】
請求項４の発明は、請求項１の開閉機構において、前記回転保持するヒンジ部は一方は１対のヒンジ部材により回転支持され、他方は本体に設けられた回転自在のフック形状部により係り止めされることで回転方向に位置決め保持する部材であることを特徴とする。
【００１１】
請求項５の発明は、給紙手段から定着装置までを垂直方向へと搬送する搬送経路を備え、定着装置を除いた用紙搬送経路の１側面を開放可能にしたドアを有した画像形成装置で、前記ドアは、画像形成装置本体に対して、少なくとも1対のヒンジ部材を具備するヒンジで回動開閉自在の開閉扉で、前記ドアの位置決めは、前記ドアの位置決めボス部と画像形成装置本体の略Ｃ字状位置決め形状部で嵌合される構成において、画像形成装置本体側の略Ｃ字状位置決め形状部は前記ドアの開閉角度が所定角度で前記ドアの位置決めボス部が乗り上げるように略Ｃ字状の位置決め形状部に凸部を有した画像形成装置。
【００１２】
請求項６の発明は、請求項５の画像形成装置において、前記ドアを回転保持するヒンジ部は、画像形成装置本体側の略Ｃ字状の位置決め形状部に設けられた凸部の高さ以上に、ガタを持たせたことを特徴とするヒンジ構成を有したことを特徴とする。
【００１３】
請求項７の発明は、請求項５．６の画像形成装置において、前記ドアの一端は少なくとも１対のヒンジ部材により回転支時され、他端は画像形成装置本体に設けられた回転自在のフック形状部により係り止めされることで回転方向に位置決め保持されていることを特徴とする。
【００１４】
請求項８の発明は、請求項５，６の画像形成装置において、画像形成装置本体側の略Ｃ字状の位置決め形状部に設けられた凸部は、前記ドアを開く方向に対しての位置と、閉じる方向に対しての位置との、それぞれの回転角度の位置を規定するための形状となっていることを特徴とする。
【００１５】
請求項９の発明は、請求項５の画像形成装置において、画像形成装置本体側の略Ｃ字状の位置決め形状部の凸形状は、前記ドアを勘合位置決めするための位置決めボスよりも狭くなるように、画像形成装置本体側の略Ｃ字状の位置決め形状部の凸形状の上面側が弾性的に変形することが可能なように形成された画像形成装置本体側の略Ｃ字状の位置決め形状を持つことを特徴とする。
【００１６】
請求項１０の発明は、請求項５の画像形成装置において、画像形成装置本体側の略Ｃ字状の位置決め形状部の凸形状の頂点部に、回転自在支持された従動コロを有したことを特徴とする。
【発明の効果】
【００１７】
問題を補うためにリンク機構を用いて、ドアが所定の開放する所定角度で停止でき、その位置を維持させる開閉機構とし、装置自体の小型化、コストダウンの問題も解決した。
【発明を実施するための最良の形態】
【００１８】
以下、本発明の実施形態を図面に基づいて詳細に説明する。
【実施例１】
【００１９】
本発明を適用する図２の画像形成装置の一例として、全体構造を概説しておく。
【００２０】
図2に示されている画像形成装置１０においては、例えば外部のコンピュータから送られてくる画像情報や原稿読み取り部２５で取り込んだ画像情報が、画像処理手段によって受信されると、その受信された画像情報は、レーザ発光書込部１１により光変調情報１１ａに変換され射出される。  
レーザ発光書込部１１から射出された光変調情報１１ａは、紙面垂直方向に走査されながら、プロセスカートリッジ１２内に像担持体である感光ドラム１２１上にスポット状に結像される。
【００２１】
その回転されることによって副走査方向に移動される感光ドラム１２１上に照射された光スポットは、主走査方向（軸方向）に往復走査され、それによって当該感光ドラム１２１上に、上述した原稿画像情報に対応した静電潜像が形成される。
【００２２】
そして、その感光ドラム１２１上の静電潜像に対して、同じくプロセスカートリッジ１２内に一体的に設けられた現像装置１２２から現像剤（トナー）が供給されることによって未定着トナー像が形成されるようになっている。
【００２３】
このとき、上述したプロセスカートリッジ１２は、感光ドラム１２１を含むクリーナー容器１２３と現像装置１２２が図示を省略した適宜の着脱機構を介して、略水平方向（図示前後方向）に移動されることにより個々に着脱される構成になされている。
【００２４】
一方、装置本体部の下部側には、規定のサイズに裁断された記録紙等のシート状記録媒体を給送するメイン給紙ユニット１３が配置されている。このメイン給紙ユニット１３を構成している箱状のカセット収容体１３ａは、装置本体に対して図示前後方向に着脱自在となるように装着されており、そのカセット収容体１３ａの内部に設けられた中支持板１３ｂの上面側に対して、図示を省略した適宜のサイズの記録紙が積層状に蓄えられるようになっている。
【００２５】
そして、そのシート状記録媒体の積層方向における最下面が上記中支持板１３ｂにより支持されるとともに、その中支持板１３ｂが給紙加圧バネ１３ｃにより上方側に向かって付勢されていることによってシート状記録媒体が上方に持ち上げられた状態に保持されるようになっている。
【００２６】
また、上述したカセット収容体１３ａの内部側の上方位置には、略「く」の字状に屈曲した板状部材からなるセンサフラグ１３ｄが上下方向に揺動するように配置されており、そのセンサフラグ１３ｄの屈曲下端部分が、上記カセット収容体１３ａの内部に蓄えられたシート状記録媒体の最上面位置に自重で当接することによって、当該カセット収容体１３ａ内におけるシート状記録媒体の有無が検出されるようになっている。
【００２７】
さらに、上記カセット収容体１３ａの紙送り方向前端部分（図示左端部分）には、半月状部材から形成された給紙ローラ１３ｅが設けられている。この給紙ローラ１３ｅの回転軸に対しては、図示を省略した欠け歯ギアとソレノイドのオン・オフ制御を介して、適宜のタイミングで回転駆動力が断続されるように構成されている。
【００２８】
そして、上述した中支持板１３ｂにより上方に持ち上げられるようにして支持されたシート状記録媒体の積層方向における最上面が、上記給紙ローラ１３ｅの外周面に対して下方側から当接された状態で給紙動作が実行されるようになっている。
【００２９】
また、上述した中支持板１３ｂの紙送り方向前端縁（図示左端縁）に対して前方側に隣接するようにしてフィードローラ１３ｆと上記フィードローラ１３ｆの外周面に対して下方側から圧接するように紙送り方向と常時逆方向に回転するリタードローラ１３ｇが配置されている。
【００３０】
そして、このメイン給紙ユニット１３におけるカセット収容体１３ａ内に積層されたシート状記録媒体は、給紙ローラ１３ｅの回転によってフィードローラ１３ｆとリタードローラ１３ｇの間の圧接ニップ部を通過し、搬送ローラ対１３ｈ、１３ｉを介して給紙通路１４側に送り出されていき、その給紙通路１４に設けられた一対のレジストローラ１５ａ、１５ｂのニップ部に突き当てられることによって適宜のタイミングをとられながら、上述した感光ドラム１２１と対面する転写領域に送り込まれていく構成になされている。
【００３１】
このようなメイン給紙ユニット１３の左側には、給紙カセットと同じサイズの記録媒体に加えて給紙カセットとは異なるサイズのシート状記録媒体を給紙可能としたマルチ給紙ユニット１６が設けられている。
【００３２】
このマルチ給紙ユニット１６は、マルチ用紙トレイ１６ａを開放することによって使用可能となる構成になされており、その開放されたマルチ用紙トレイ１６ａ上に各種のシート状記録媒体を積層状に積載する。
【００３３】
このマルチ用紙トレイ１６ａは、紙送り方向の前方側（図示右方側）に向かって、緩やかな傾斜をなすようにして延在しているが、当該マルチ用紙トレイ１６ａの延在方向に連続するようにして回動可能なマルチ中板１６ｂが配置されている。マルチ中板１６ｂの前端部分（図示右端部分）には、円筒状部材から形成されたマルチ給紙ローラ１６ｃが設けられている。
【００３４】
このマルチ給紙ローラ１６ｃの回転軸には、図示を省略した電磁クラッチを介して駆動源が接続されており、その電磁クラッチのオン・オフ動作によって、上記マルチ給紙ローラ１６ｃに対して適宜のタイミングで回転駆動力が断続されるように回転制御が行われている。
【００３５】
さらに、上述したマルチ中板１６ｂの紙送り方向前端縁（図示右端縁）の前方側に隣接するようにして、薄板状部材からなる分離パッドが粘着された分離揺動台１６ｄが、上記マルチ給紙ローラ１６ｃの外周面に対して下方側から圧接するように配置されている。
【００３６】
この分離揺動台１６ｄは、上述したマルチ給紙ローラ１６ｃの直下位置において上下動するように配置されており、その分離揺動台１６ｄが、分離加圧バネ１６ｅにより上方に向かって付勢されることによって、上述したマルチ給紙ローラ１６ｃの下面側に分離揺動台１６ｄが常時圧接された状態に維持されている。
【００３７】
そして、上述したマルチ用紙トレイ１６ａ上に積載された各種シート状記録媒体は、上記マルチ給紙ローラ１６ｃの回転駆動によって、前記分離パッドとの間のニップ部を通過して一枚ずつ分離された後、前述した給紙通路１４側に向かって送り出されていき、既に述べたメイン給紙ユニット１３のカセット収容体１３ａ の場合と同様にして、一対のレジストローラ１５ａ，１５ｂに突き当てられて適宜のタイミングをとられながら感光ドラム１２１と対面する転写領域に送り込まれていくようになっている。
【００３８】
このようなマルチ用紙トレイ１６ａ上にシート状記録媒体をセットするにあたっては、図示しないカムがマルチ中板１６ｂを下方に押し下げて解除状態とし、そのマルチ中板１６ｂをマルチ給紙ローラ１６ｃから下方側に離間させることによって、これら両部材１６ｂ，１６ｃどうしの間に適宜の隙間を形成することが必要となる。
【００３９】
そして、このようにマルチ給紙ローラ１６ｃに対してマルチ中板１６ｂを解除状態とするために、当該マルチ中板１６ｂの全体が上下方向に回動することによって上下に移動する構成になされている。
【００４０】
すなわち、上述したマルチ中板１６ｂの両側縁部分には、回動ピン１６ｆが、両側外方（図１の紙面垂直方向）に向かって所定量だけ突出するように設けられており、それらの両回動ピン１６ｆが、フレームに設けられた軸受部に対して回動自在に装着されている。
【００４１】
これによって、上記両回動ピン１６ｆを中心にして、上述したマルチ中板１６ｂの全体が上下方向に回動可能となるように支持されている。
【００４２】
さらに、上記マルチ中板１６ｂの紙送り方向前端側部分（図示右端側部分）における直下位置には、トレイ加圧バネ１６ｇが圧縮状態で装着されており、そのトレイ加圧バネ１６ｇが、上記マルチ中板１６ｂの下面側に圧接していることによって、そのマルチ中板１６ｂの前端側部分（図示右端側部分）が上方側に向かって付勢され押し上げられる構成になされている。
【００４３】
そして、そのマルチ用紙トレイ１６ａ上に各種のシート状記録媒体がセットされた後に、図示を省略した欠け歯ギアとソレノイドのオン・オフ制御を介して、適宜のタイミングでマルチ中板１６ｂの全体が上下方向に回動可能する。
上記マルチ中板１６ｂの上方付勢力によって、シート状記録媒体の積層方向における最上面が上述したマルチ給紙ローラ１６ｃの外周面に対して下方側から圧接されることとなり、そのようにシート状記録媒体がマルチ給紙ローラ１６ｃに対して圧接された加圧状態で、当該マルチ給紙ローラ１６ｃが回転駆動されることによってシート状記録媒体の給紙動作が実行されるようになっている。
【００４４】
一方、上述した感光ドラム１２１の転写領域には、当該感光ドラム１２１の表面に接触するようにして接触転写体としての転写ローラ１７が接触するように配置されている。
【００４５】
この転写ローラ１７には転写バイアスが印加され、その転写バイアスによって、上述した感光ドラム１２１上に形成された未定着トナー像がシート状記録媒体上に静電的に転写されるようになっている。
【００４６】
さらに、転写後において上記感光ドラム１２１上に残留するトナーは、当該感光ドラム１２１の表面上に圧接するように配置されたクリーニングブレード１２４の摺接力により掻き落とされてクリーナー容器１２３に収容されるようになっている。
【００４７】
さらに、上述した転写作用によって未定着トナーを担持したシート状記録媒体は、上述したプロセスカートリッジ１２の上方位置に隣接するように配置された定着装置１８に向かって搬送される。
【００４８】
当該定着装置１８には、加熱手段としての定着フィルム１８ａが環状をなすように配置されているとともに、その定着フィルム１８ａに対面するようにして加圧ローラ１８ｂが配置されている。
【００４９】
そして、それらの定着フィルム１８ａおよび加圧ローラ１８ｂのニップ部における加圧・加熱作用に基づく定着作用によって、上記シート状記録媒体上の未定着トナーが融解され、シート状記録媒体上にトナー像が固定され定着されるようになっている。
【００５０】
また、このような加熱定着動作によってトナー像を固定されたシート状記録媒体は、定着装置１８の出口部から装置上方側に配置された排紙部２０に設けられた排紙通路２１内に送り出された後、その排紙通路２１に設けられた排紙ローラ２２の排出搬送作用によって、装置本体部の上位置に設けられた排紙トレイ２３上に排出されるように構成されている。
【００５１】
さらに、このような構成を備えた装置本体の左側には、両面搬送路３０が配置されている。片面側に所望の画像を形成された記録紙などのシート状記録媒体が、排紙口切り換え板２４により排紙反転路３１に搬送される。搬送されたシート状記録媒体は図示を省略したモータの制御により排紙反転ローラ３２が適宜に反転し、搬送路切り換え板３３により両面搬送路３０に搬送される構成になっている。
上述した両面搬送路３０の途中位置には、図示上方側から下方側に向かうシート状記録媒体の搬送方向に沿って、複数（２対）の両面搬送ローラ３４・３５が順に設けられており、それらの各両面搬送ローラ３４・３５の搬送作用によって、両面搬送路３０内に送り込まれたシート状記録媒体が、表裏を反転されるようにして上述した給紙通路１４に再び送り込まれるように搬送されるようになっている。
【００５２】
図３は、図２に示すレジストローラ１５ｂ・マルチ給紙ユニット１６・転写ローラ１7・両面搬送路３０を含む左ドア４０が、ギアの噛み合い方向と直交する回転軸４1により図中矢印ＡＢ方向に回動可能に支持された構造になっている。
ここで、図３、４、５を用いて左ドア４０の取付け構成及び、位置決め構成に関して述べる。
【００５３】
左ドア４０は、図５の（a）に示すように、装置本体側に設けられたヒンジ部下４７のボス部が図４で示す勘合穴部４５に差し込まれ、装置本体側に設けられたヒンジ部上４１aを左ドア４０の勘合穴部４５と同軸上に設けられた穴部４４に通し軸４１を差し込むことで、左ドア４０を装置本体に対して回転保持される。
このとき、左ドア４０は装置本体に対して回転軸方向に対して所定のスラストガタを設けて取り付けられている。
【００５４】
そして、左ドア４０の回転軸方向に対する位置決めは、左ドア位置決めボス奥４６と図示していない対向側ボスを装置本体側に設けられた位置決め凹部４８、４９にそれぞれ嵌合され、位置決めされる。
【００５５】
また、左ドア４０の回転方向に対する位置は、一方は前述したヒンジによる回転軸により支持され、もう一方は左ドア４０に設けられたフック部４３を装置本体側に設けられ、一方向に回転自在に支持された（図示せず）引っ掛け部４２に係合されることで、左ドア４０と装置本体の位置決めがなされている。
【００５６】
左ドア４０には、レジローラ１５ｂや転写ローラ１７を対向側のレジストローラ１５aや感光ドラム１５１に対して、強いバネ圧を必要とする構成となっている。
【００５７】
ここで、本発明に対しての詳細な説明を行う。
前述したように、左ドア４０はレジストローラ１７ｂや転写ローラ１７による強いバネ圧を有するために、装置本体側に設けられた引っ掛け部４２を、左ドア４０を開放するために回転させると、前記強いバネ圧により勢い良く左ドア４０が開放してしまう。
【００５８】
そのため、装置本体側に設けられた略Ｃ字状に設けられた位置決め凹部４８に図１に示すような凸部４８aを設けることで、左ドア４０の開放を抑制することができるようにしている。
【００５９】
また、凸部４８aの位置は左ドア４０を開放させた時に、必要以上に開かないようなα寸法と、左ドア４０を閉じる際に、前述したように感光ドラム１１２を含むプロセスカートリッジ１２の着脱時も考え、左ドア４０に設けられた転写ローラ１７がプロセスカートリッジ１２に接触しない位置で、左ドア４０が停止できるようβ寸法で規定するように設けられた凸部４８aの形状となっている。  
ここで、図１に示した円４６は左ドア位置決めボス奥４６の左ドア４０が正規に閉じた時のボス位置を示す円で、円４６αは左ドア位置決めボス奥４６が左ドア４０の開放を抑制した位置で、円４６βはプロセスカートリッジ１２に転写ローラ１７が接触しない位置まで左ドア４０を開いたときのそれぞれの左ドア位置決めボス奥４６の位置を示したものである。
そして、左ドア４０の開放に際しては、略Ｕ字状に設けられた位置決め凹部４８の凸部４８aを乗り上げることができるように、すなわち乗り上げるために必要なストロークγ分だけ、前述のように左ドア４０自体が上方へスライド可能なようなヒンジ構成を有してなる。
【００６０】
また、別の実施例として図１ｂに示すように略Ｕ字状に設けられた位置決め凹部４８の凸部４８ａの対向側に、バネ性を持つ弾性形状部４８ｂを有して、左ドア４０が軽いために容易に略Ｕ字状に設けられた位置決め凹部４８の凸部４８ａを乗り上げないようにしても良い。
【００６１】
また、別の実施例として図１ｃに示すように略Ｃ字状に設けられた位置決め凹部４８の凸部４８ａの頂点部を回転自在に支持されたコロ４８ｃを設けて、左ドア４０が重いために、凸部４８ａの乗り上げを容易にする構成をとっても良い。
【図面の簡単な説明】
【００６２】
【図１】本発明の実施形態の位置決め部材を示す図
【図２】本発明の画像形成装置概略を説明する断面図
【図３】本発明の実施形態の本体側面の左ドアの概略図を示す図
【図４】本発明の実施形態の左ドアの概略図を示す図
【図５】本発明の実施形態の本体側位置決め部の概略図を示す図
【符号の説明】
【００６３】
１０  画像形成装置
１１  レーザ発光書込部
１２  プロセスカートリッジ
１２１  感光ドラム（像担持体）
１２２  現像装置
１３  メイン給紙ユニット
１４  給紙通路
１５  レジストローラ
１６  マルチ給紙ユニット
１６ｃ  マルチ給紙ローラ
１６ｈ  マルチ給紙ローラ軸
１７  転写ローラ
１８  定着装置  
２０  排紙部
２１  排紙通路
２２  排紙ローラ
２３  排紙トレイ
２４  排紙口切り換え板
２５  原稿読み取り部
３０  両面搬送路
３１  反転搬送通路
３２  排紙反転ローラ
３３  搬送路切り換え板
３４、３５  両面搬送ローラ
４０  左ドア
４１  左ドア回転中心
４２  引っ掛け部
４３  左ドアに設けられたフック部
４６  左ドア位置決めボス奥
４８、４９  装置本体側に設けられた位置決め凹部
【図１】
2008145821.tif 000003
【図２】
2008145821.tif 000004
【図３】
2008145821.tif 000005
【図４】
2008145821.tif 000006
【図５】
2008145821.tif 000007